(57)【要約】【課題】  機器の具備する回動軸受の広範囲での異なる荷重変速に対応しながら最良の減衰率の優れたダンパー付ベアリングを備えた段階軸受装置を提供すること。【解決の手段】  機器の２段階式軸受１において、細軸１ａをダンパー付ボールベアリング２で支承し、太軸１ｂは貫通でなるボールベアリング３の内輪３ａに所定の隙間ａを設け、外輪３ｂがハウジングＡに固定でなる空転軸受けでなる、ダンパー付ベアリングを備えた段階軸受装置にする。【選択図】図１
2011112221.tif 000002
【特許請求の範囲】
【請求項１】
機器の２段階式軸受１において、細軸１ａをダンパー付ボールベアリング２で支承し、太軸１ｂは貫通でなるボールベアリング３の内輪３ａに所定の隙間ａを設け、外輪３ｂがハウジングＡに固定でなる空転軸受にしたことを特徴とする、ダンパー付ベアリングを備えた段階軸受装置。
【請求項２】
前記する太軸１ｂを支承するボールベアリング３の内輪３ａにやや固めに差し込まれ、外輪３ｂはハウジングＡとに固定する事無く、所定の隙間ｂを設けることで、ボールベアリング３と太軸１ｂが一体的回動可能にしたことを特徴とする、請求項１記載のダンパー付ベアリングを備えた段階軸受装置
【請求項３】
前記するダンパー付ボールベアリング２或は、ボールベアリング３のいずれかを、ベアリング無しでのダンパー付ブッシュベアリング４とブッシュベアリング５にしたことを特徴とする、請求項１又は２項記載のダンパー付ベアリングを備えた段階軸受装置。
【請求項４】
前記する２段階式軸受１を多段階式軸受６にし、これらの細軸６ａの軸受と太軸６ｂの軸受との間のそれぞれの段階にはダンパー付軸受が所定の隙間ｃを設け空転軸受にしたことを特徴とする請求項１，２、又は３項記載のダンパー付ベアリングを備えた段階軸受装置。
【発明の詳細な説明】
【技術分野】
【０００１】  この発明は、機器の具備する回動軸が太軸と細軸からなるそれぞれの軸を支承する軸受装置に関する。更に詳しくは段階軸でなるそれぞれでの段階での太軸にはベアリグそして細軸にはダンパー付ベアリングを支承でなる、２品種セット使いでの段階軸受装置に関する。
【背景技術】
【０００２】  この種の従来の技術として、異なる直径を有している軸受を具備する、自動車用トランスファーの発明や、ダンパー軸受の発明が特許文献１又は特許文献２に記載され開示されている。即ち文献１での発明は自動車のトランスファーの傘ピニオン軸は、ケーシング内で、相対してＯ形配置された、互いに間隔の置かれた２つの片側負荷可能な２列の複列アンギュラ形ボールベアリングを介して支承されている。これらのベアリングは、異なる太い軸と細い軸とでなるこれらをボールベアリングが支承された構成である。このはつめいは円錘コロ軸受による典型的な支承部に比べ、著しく小さな摩擦モーメントと、著しく少ない磨耗とが達成できる発明とされている。
そしてまた、文献２での発明のダンパー軸受は、回転軸を回転可能に枢支する軸受の外周側に、前記回転軸と同心軸の環状空間部を有する二重円筒型のベアリングケースを配置するとともに，該輪状空間部内に、軸受ハウジングから突設された筒状部を内外周に油膜形成用の隙間を介在せしめ且つ該隙間の軸方向部をシールした状態で配設する構成である。これらは超高速機械での超高速回転を行なうため、回転軸の振動を抑える必要があることから、ダンパー軸受での振動問題のトラブルを防ぎ、更には回転騒音を低下する構成である。【０００３】
【特許文献１】特表２００２−５２３７１０号公報
【特許文献２】特開平６−１３７３２５号公報
【発明の開示】
【発明が解決しようとする課題】
【０００４】  しかしながら、文献１で記載される発明では、回動する太い軸と細い軸とで回転荷重が双方のボールベアリングが荷重分布での支承となることで、ボールベアリングに負荷する荷重が少ない事での耐磨耗性を向上させるが、ボールベアリングの摩擦損失を増大し、軸の減衰効率が低下し、小さい回転トルクでの起動が悪いなどの課題が残る。即ち変動する荷重例えば、比較的小さい荷重でも作動し、荷重を取り除いた状態での回転停止までの減衰効果が悪い為、小さい荷重で回転開始が要求される機器や、小さい荷重から大きい荷重を負荷する機器に具備する軸受として難が有るなどの課題が有る。【０００５】  また文献２で記載される発明では、高速回転荷重での振動を軸受の外周に焼き付け接着するクッション性のウレタンゴムなどによって、吸収し安定した回転を保持出来るが、低トルクでの起動性や減衰効率を上げるのに難が有るなどの課題が残る。この様な観点から、比較的細い軸での回転摩擦抵抗の小さい即ち減衰効果に優れた軸受であって、更には高速回転荷重や強烈な過荷重に耐える強靭な軸受構成でなる荷重能力の優れた、即ち、変則的な異なる荷重に対応できる巾の広い軸受け装置が広く望まれていた。
【課題を解決するための手段】
【０００６】  この発明は、かかる課題を解決する為に、請求項１での発明は、図１と図２での正面断面図で述べるに、機器の具備する２段階式軸受１において、細軸１ａをダンパー付ボールベアリング２で支承し、太軸１ｂは貫通でなるボールベアリング３の内輪３ａに所定の隙間ａを設け、外輪３ｂがハウジングＡに固定でなる空転軸受でなるダンパー付ベアリングを備えた段階軸受装置とする。
次に請求項２での発明は、図３と図４での正面断面図で述べるに、前記する太軸１ｂを支承するボールベアリング３の内輪３ａにやや固めに差し込まれ、外輪３ｂはハウジングＡとに固定する事無く、所定の隙間ｂを設けることで、ボールベアリング３と太軸１ｂが一体的回動可能にしたダンパー付ベアリングを備えた段階軸受装置とする。
次に請求項３での発明は、図５での正面断面図で述べるに、前記するダンパー付ボールベアリング２或は、ボールベアリング３のいずれかを、ベアリング無しでのダンパー付ブッシュベアリング４とブッシュベアリング５とでなる、ダンパー付ベアリングを備えた段階軸受装置とする。
次に請求項４での発明は、図６での正面断面図で述べるに、前記する２段階式軸受１を多段階式軸受６にし、これらの細軸６ａの軸受と太軸６ｂの軸受との間のそれぞれの段階軸にはダンパー付軸受が所定の隙間ｃを設け空転軸受にした構成での、ダンパー付ベアリングを備えた段階軸受装置とする。
【発明の効果】
【０００７】  本発明は上述の通り構成作用するので、次の優れた効果を奏する。
即ち、請求項１と２での発明は、細軸対応のダンパー付ボールベアリングは小さな回転トルクに反応し減衰効率に優れ、過剰トルクは太軸対応ボールベアリングが反応することで、大小異なる巾の広い回転トルクに対応できるダンパー付ベアリング備えた段階軸受装置を提供出来る。
また請求項３での発明は、ブッシュベアリングを具備する機器においても、ダンパー付ブッシュベアリングと組合せる事で、請求項１と請求項２の発明相当の大小異なる巾の広い回転トルクに対応のできるダンパー付ベアリングを備えた段階軸受装置を提供出来る。更には、請求項４での発明は、前記する２段階式軸受を多段式軸受にすることで、更に一つの機器で、変則的な大小様々な回転トルクに対応できるダンパー付ベアリングを備えた段階軸受装置を提供出来る。
【発明を実施するための最良の形態】
【０００８】  以下に図示の実施例に基づいて本発明を更に詳細に説明する。
即ち、図１と図２は本発明での第１実施例に基づく要部を示しての部分断面での正面図で、２段階式でなる回動軸と其れを支承する軸受装置を具備する機器において、これらの２段階式軸受１の細軸１ａをダンパー付ボールベアリング２で支承し、太軸１ｂは貫通でなるボールベアリング３の内輪３ａに所定の隙間ａを設け、外輪３ｂがハウジング３に固定された空転軸受が太軸１ｂに装着される構成で、今比較的小さい回転トルクが２段階式軸受１に負荷された場合、転がり抵抗の小さなベアリングで構成するダンパー付ボールベアリング２が作動し素早く始動することになる。仮に該細軸１ａが細くなるに従がい更に転がり抵抗の小さなベアリングで構成され、回動がしやすく更に負荷停止後の減衰効率が向上するが、回転トルクのラジアル荷重方向Ｐの増強によりダンパー付ボールベアリングの構成する外輪３ａの外周を巻装するクッション性のウレタンゴムなどでなるクッション体２ａによって、２段階式軸受１が所定の量だけ偏芯することで、太軸１ｂを支承するボールベアリング３の内輪３ａに空転貫通でなる太軸１ｂの隙間ｂが片寄り、内輪３ａに接合しボールベアリング３が作動し、異なる巾の広い回転トルク対応を可能にしている。いわゆる微小な２段階式軸受１の回動にダンパー付ボールベアリングが反応し、過剰負荷はクッション体２ａの縮小の働きで、自動的に太軸１ｂのボールベアリング３が回動する構成である。【０００９】次に、図３と図４は、本発明での第２実施例に基づく断面での平面図で、前記する太軸１ｂを支承するボールベアリング３の内輪３ａにやや固めに差し込まれ、外輪３ｂはハウジングＡに固定する事無く、所定の隙間ｂを設けることで、ボールベアリング３と太軸１ｂとが一体的回動可能な構成とすることで、前記する第１実施例では、太軸１ｂを支承するボールベアリング３の内輪３ａに空転で貫通する隙間ａを設けての外輪３ｂがハウジングＡとの固定でなる構成とし、第２実施例でのボールベアリング３の太軸１ａ支承は内輪３ａにやや固めに貫通して常時回転する為に、外輪３ｂをハウジングＡから所定の隙間ｂを設ける構成としている。【００１０】  次に、図５は、本発明での第３実施例に基づく平面図の断面を示すが、前記するダンパー付ボールベアリング２或は、ボールベアリング３に変わる軸受をパイプ状の軸受を使ってのダンパー付ブッシュベアリング４とダンパー無しのブッシュベアリング５にする事でそれぞれの具備する回動でなる２段式軸受１の選択肢の巾を広めるのに貢献する。【００１１】  次に、図６は、本発明での第４実施例に基づく平面図の断面を示すが、前記する２段階式軸受１での階段軸６ａを多段軸にし、それらの階段をそれぞれ支承してなる多段階式軸受６にし、これらの最も太い太軸６ｂを除いてのそれぞれの段階軸６ａにはクッション体２ａでなるダンパー付軸受が軸孔と貫通する軸に所定の隙間ｃを設けて空転軸受にしている。即ちこれらの構成は広範囲での変速する回転トルクに対応しての機器の具備する回動体の減衰効率の向上を具現化している。
【図面の簡単な説明】
【００１２】
【図１】  本発明に係わる第１実施例での断面を示しての平面図である。
【図２】  本発明に係わる第１実施例での使用例で断面を示しての平面図である。
【図３】  本発明に係わる第２実施例での断面を示しての平面図である。
【図４】  本発明に係わる第２実施例での使用例で断面を示しての平面図である。
【図５】  本発明に係わる第３実施例での断面を示しての平面図である。
【図６】  本発明に係わる第４実施例での断面を示しての平面図である。
【符合の説明】
【００１３】Ａ          ハウジング
Ｐ          ラジアル荷重方向
ａ，ｂ，ｃ  隙間
１          ２段階式軸受
１ａ，６ａ  細軸
１ｂ，６ｂ  太軸
２          ダンパー付ボールベアリング
２ａ        クッション体
３          ボールベアリング
３ａ        内輪
３ｂ        外輪
４          ダンパー付ブッシュベアリング
５          ブッシュベアリング
６          多段階式軸受
６ａ        段階軸
【図１】
2011112221.tif 000003
【図２】
2011112221.tif 000004
【図３】
2011112221.tif 000005
【図４】
2011112221.tif 000006
【図５】
2011112221.tif 000007
【図６】
2011112221.tif 000008